(57)【要約】      （修正有）【課題】製造工程を簡易化して製造コストを低減させ、また、中台紙を装脱することによるストッキングの破損のおそれをなくした多足組ストッキング製品を提供する。【解決手段】個装した同種のストッキングを複数、１つの包装パック１に収納した多足組ストッキング製品であって、前記包装パック１は、複数のストッキング個装品３を内包する包装体２と、包装体２を被装する透明フィルム４とから成り、包装体２はその表面の一部に、内包したストッキングの色合い及び柄を示す印刷部５を有することを特徴とする。印刷部５は、包装体２の表面に直接印刷したものとされ、あるいは、粘着可能なシールとされて、包装体２の表面に配備される粘着部に粘着される。【選択図】図１
0003188270.tif 000002
【実用新案登録請求の範囲】
【請求項１】
個装した同種のストッキングを複数、１つの包装パックに収納した多足組ストッキング製品であって、
前記包装パックは、前記複数のストッキング個装品を内包する包装体と、前記包装体を被装する透明フィルムとから成り、前記包装体はその表面の一部に、内包した前記ストッキングの色合い及び柄を示す印刷部を有することを特徴とする多足組ストッキング製品。
【請求項２】
前記印刷部は、前記包装体の表面に直接印刷されたものである、請求項１に記載の多足組ストッキング製品。
【請求項３】
前記印刷部は粘着可能なシールであって、前記包装体の表面に配備される粘着部に粘着されたものである、請求項１に記載の多足組ストッキング製品。
【請求項４】
前記包装体として前記粘着部を有するもの１種類が用意されると共に、前記シールとして内包するストッキングの種類に応じた複数のものが用意され、前記シールのうち、内包するストッキングの種類に対応するものが前記粘着部に粘着される、請求項３に記載の多足組ストッキング製品。
【請求項５】
前記印刷部は、内包した前記ストッキングの伸状態と非伸状態における色合い及び柄を並べて示すものである、請求項１乃至４のいずれかに記載の多足組ストッキング製品。
【請求項６】
前記包装体は紙製で、少なくとも前面及び上面を有するものである、請求項１乃至５のいずれかに記載の多足組ストッキング製品。
【考案の詳細な説明】
【技術分野】
【０００１】
本考案は多足組ストッキング製品に関するものであり、より詳細には、パンティストッキング、ロングストッキング、ショートストッキング等の極細糸で編成されたストッキングの個装品を複数、収納したストッキングの色合い及び柄が外から分かる状態で１パックにして販売するための、多足組ストッキング製品に関するものである。
【背景技術】
【０００２】
上記ストッキング製品は、極細糸で編成されていることから、不使用時（非伸張時）と使用時（伸張時）では、色合いや柄が異なって見えることがしばしばあり、その色合いや柄の変化（特に使用時の色合い）は、一般需要者の商品選択に大きな影響を与える。そのため、ストッキングの売り手は、ストッキング販売時に伸張時と非伸張時における色柄を提示して販売することが、現代において一般的となっている。
【０００３】
その提示方法としては、例えば、マネキンにストッキングを実際に履かせる方法がある。しかし、この方法の場合は、マネキンの配置のためにある程度広い販売スペースが必要となり、また、個々のストッキングパック品等の関連性が希薄なため、当該マネキンから離れた場合にストッキングパック品の内容確認が難しくなる。そこで、一般には、各ストッキングの包装において、内包するストッキングの伸張時と非伸張時における色柄が、外部から視認可能となるようにされる。
【０００４】
そのための方法として、例えば、ストッキングの１足を、中台紙を挿入して扁平にまとめることによりストッキングの伸張時の色柄を表現した状態にて透明フィルム内にパックする方法が多く用いられている（特許第３７６９６９８号公報）。しかし、この方法によった場合は、ストッキングに中台紙を挿入するのに手間がかかり、また、少なくとも１足は、既に伸ばした状態のストッキングを販売することになり、そのような態様を好まない需要者もいると考えられ、更に、中台紙を装脱する際に、誤ってストッキングを引っ掛けて破損させてしまうおそれもある。
【先行技術文献】
【特許文献】
【０００５】
【特許文献１】特許第３７６９６９８号公報
【考案の概要】
【考案が解決しようとする課題】
【０００６】
上述したように、従来一般的に採用されている、内包するストッキングの伸張時と非伸張時における色柄が外部から視認可能となるようにするための方法の場合は、ストッキングに中台紙を挿入するのに手間がかかり、また、少なくとも１足は、既に伸ばした状態のストッキングを販売することになり、そのような態様を好まない需要者もいると考えられ、更に、中台紙を装脱する際に、誤ってストッキングを引っ掛けて破損させてしまうおそれがあった。
【０００７】
本考案は、このような従来方法における問題点を解決するためになされたもので、内包するストッキングのうちの１足を中台紙を用いて扁平にまとめ、包装体内の一番手前に配置するという煩わしい作業を不要とすることで、多足組ストッキング製品の製造を簡易化して製造コストを低減させ、また、中台紙を装脱することによるストッキングの破損のおそれをなくした多足組ストッキング製品を提供することを課題とする。
【課題を解決するための手段】
【０００８】
上記課題を解決するための請求項１に記載の考案は、個装した同種のストッキングを複数、１つの包装パックに収納した多足組ストッキング製品であって、前記包装パックは、前記複数のストッキング個装品を内包する包装体と、前記包装体を被装する透明フィルムとから成り、前記包装体はその表面の一部に、内包した前記ストッキングの色合い及び柄を示す印刷部を有することを特徴とする多足組ストッキング製品である。
【０００９】
一実施形態においては、前記印刷部は、前記包装体の表面に直接印刷されたものであり、また、別の実施形態においては、前記印刷部は粘着可能なシールであって、前記包装体の表面に配備される粘着部に粘着されたものである。また、その場合は、前記包装体として前記粘着部を有するもの１種類が用意されると共に、前記シールとして内包するストッキングの種類に応じた複数のものが用意され、前記シールのうち、内包するストッキングの種類に対応するものが、前記粘着部に粘着される。
【００１０】
また、一実施形態においては、前記印刷部は、内包した前記ストッキングの伸状態と非伸状態における色合い及び柄を並べて示すものとされ、また、前記包装体は紙製で、少なくとも前面及び上面を有するものとされる。
【考案の効果】
【００１１】
本考案は上述したとおりであって、本考案に係る多足組ストッキング製品における包装パックは、複数のストッキング個装品を内包する包装体と、その包装体を被装する透明フィルムとから成り、包装体はその表面の一部に、内包したストッキングの色合い及び柄を示す印刷部を有するものであって、その印刷部が内包したストッキングの色合い及び柄を示すために、一般消費者は、その印刷部を見ることで、内包されたストッキングの色合い及び柄を知ることができる。
【００１２】
従って、本考案に係る多足組ストッキング製品の場合は、内包するストッキングのうちの１足を中台紙を用いて扁平にまとめ、包装体内の一番手前に配置するという煩わしい作業が不要であるため、多足組ストッキング製品の製造を簡易化し、製造コストを低減することができ、また、中台紙の装脱に際してストッキングを破損するおそれがなくなる効果があり、更に、中台紙を用いないために省資源となり、且つ、中台紙廃棄の手間をなくしてゴミ減量に資する効果がある。
【００１３】
また、請求項３、４に係る考案においては、印刷部を粘着可能なシールとし、また、前記包装体として前記粘着部を有するもの１種類が用意されると共に、前記シールとして内包するストッキングの種類に応じた複数のものが用意され、内包するストッキングの種類に対応する前記シールを選択して前記粘着部に粘着するようにしたので、包装体は１種類のみ用意すれば足り、余分な包装体を製造する無駄を省くことができる効果がある。
【図面の簡単な説明】
【００１４】
【図１】本考案に係る多足組ストッキング製品の一実施形態を示す斜視図である。
【図２】本考案に係る多足組ストッキング製品の他の実施形態を示す斜視図である。
【考案を実施するための形態】
【００１５】
以下に、本考案を実施するための形態について、図面に依拠して説明する。図１は、本考案に係る多足組ストッキング製品の一実施形態を示す斜視図であり、そこに示されるように、本考案に係る多足組ストッキング製品は、個装したストッキングを複数、１つの包装パック１に収納したものである。
【００１６】
包装パック１は、複数のストッキング個装品３を内包する包装体２と、包装体２を被装する透明フィルム４とから成る。通例、包装体２は紙製であって、箱状であってもよいが、その１面又は複数面を欠いたものであってもよい。そして、その場合は、少なくとも前面及び上面を備えていれば足りる。図示した包装体２は、１側面及び底面を欠いたものである。
【００１７】
包装体２は、その表面の一部又は表面から上面にかかる部分、あるいは、更に上面から裏面にかかる部分に、内包したストッキングの色合い及び柄を示す印刷部５を有する。好ましくは、印刷部５は、ストッキングの伸状態における色合い及び柄を示す伸状態表示部６と、ストッキングの非伸状態における色合い及び柄を示す非伸状態表示部７とを並べて印刷したものとされる。
【００１８】
一実施形態においては、印刷部５は、包装体２の上記部分に直接印刷される。また、別の実施形態においては、印刷部５は包装体２とは別の粘着可能なシール５ａとして構成され、これを、包装体２の上記部分に配備される粘着部８に粘着するようにされる。
【００１９】
言うまでもなく、包装体２に直接印刷する場合は、その包装体２は、その印刷された色合い及び柄のストッキング専用のものとなる。そこで、包装体２として粘着部８を有するもの１種類が用意されると共に、シール５ａとして内包するストッキングの種類に応じた複数のものが用意され、内包するストッキングの種類に対応するシール５ａを選択して粘着部８に粘着するようにすることが好ましい。このようにした場合は、包装体２は１種類のみ用意すれば足りることになるので、余分な包装体を製造する無駄が省ける。
【００２０】
上述したように、本考案に係る多足組ストッキング製品における包装パック１は、複数のストッキング個装品３を内包する包装体２と、その包装体２を被装する透明フィルム４とから成り、包装体２が、内包したストッキングの色合い及び柄を示す印刷部５を有していて、この印刷部５が内包したストッキングの色合い及び柄を示すため、一般消費者は、その印刷部を見ることで、内包されたストッキングの色合い及び柄を知ることができる。
【００２１】
かくして本考案に係る多足組ストッキング製品の場合は、ストッキングの１足を中台紙を用いて扁平にまとめ、包装体２内の一番手前に配置するという煩わしい作業が不要となり、以て、多足組ストッキング製品の製造を簡易化し、製造コストを低減することが可能となるのである。また、中台紙を用いないため、それの装脱に際してストッキングを破損するおそれがなく、更には、省資源に寄与し、中台紙廃棄の手間をなくし、ゴミの減量に資するといった数多くの効果を奏するものである。
【符号の説明】
【００２２】
１      包装パック
２      包装体
３      個装品
４      透明フィルム
５      印刷部
５ａ    シール
６      伸状態表示部
７      非伸状態表示部
８      粘着部
【図１】
0003188270.tif 000003
【図２】
0003188270.tif 000004